(57)【要約】【課題】熱源と食材の距離を簡易に調整可能で、容易に食材を美味しく調理でき、不要時には分解可能な囲炉裏セットを提供する。【解決手段】燃焼剤を収容可能に構成された炉箱と、該炉箱を収容し、該炉箱との空隙に灰が敷き詰められる灰入れ容器と、該灰入れ容器が収容される井桁状の木枠１３と、該木枠１３の両側方に配置される一対の脚部１４ａ，１４ｂと、該一対の脚部１４ａ，１４ｂ間に橋架され食材Ａを載置する網体１５を備えた囲炉裏セット１において、前記網体１５を、単線材を格子状に構成し任意形状に成る枠杆で包囲した格子線網板からなる第１の網及び第２の網と、該第１の網及び第２の網を互いに回動可能に接続する接続部材と、該接続部材に固着されたガイド軸１５３から構成し、前記脚部を、前記ガイド軸１５３を上下方向へスライド可能なガイド孔１４１が形成された縦板を底板に立設して構成するとともに、前記縦板の側面に、前記枠杆が嵌合される複数の水平溝と傾斜溝を形成した。【選択図】  図１
0003213483.tif 000002
【実用新案登録請求の範囲】
【請求項１】
燃焼剤を収容可能に構成された炉箱と、該炉箱が収容され、該炉箱との空隙に灰が敷き詰められる灰入れ容器と、該灰入れ容器が収容される井桁状の木枠と、該木枠の両側方に配置される一対の脚部と、該一対の脚部間に橋架され食材を載置する網体を備えた囲炉裏セットにおいて、前記網体が、単線材を格子状に構成し任意形状に成る枠杆で包囲した格子線網板からなる第１の網及び第２の網と、該第１の網及び第２の網を互いに回動可能に接続する接続部材と、該接続部材に固着されたガイド軸から構成され、前記脚部が、前記ガイド軸を上下方向へスライド可能なガイド孔が形成された縦板を底板に立設して構成されるとともに、前記縦板の側面に、前記枠杆が嵌合される複数の水平溝と傾斜溝が形成されたことを特徴とする囲炉裏セット。
【請求項２】
前記網体に掛止可能な略Ｓ字状の掛具を有する格子線網板をさらに備えたことを特徴とする請求項１に記載の囲炉裏セット。
【考案の詳細な説明】
【技術分野】
【０００１】
本考案は、簡単な組み立て処理により屋内に設置可能な組立式囲炉裏に関し、とくに熱源との距離を調整可能な調理用網を使用する囲炉裏セットに関するものである。
【背景技術】
【０００２】
従来、囲炉裏は、屋内において暖炉兼、調理器具として利用され、屋内の床を正方形状または長方形状に切り抜いて設置されるものである。この従来の囲炉裏は、基本的には、床材を切り抜いて構築するものであるため、建屋の新築時に、もしくは後時的に改築して設置されていた。生活様式が変わり調理器具としての役割が希薄となった現在では、囲炉裏は、収納性の悪さや安全性の面により家庭から次第に失われていった。
【０００３】
そこで、井桁状に組立可能で、不要の場合には分解し狭所へ収納し、容易に運搬できる組立式の囲炉裏（例えば、特許文献１参照）や、床を切り抜いて設置する固定式から所望の場所へ置いて使用するよう、可搬式とした囲炉裏（例えば、特許文献２参照）が先に提案されている。
【先行技術文献】
【特許文献】
【０００４】
【特許文献１】実登第３１５７５５１号公報
【特許文献２】特開２０００−１７１０３９号公報
【考案の概要】
【考案が解決しようとする課題】
【０００５】
特許文献１や特許文献２の囲炉裏は、従来の囲炉裏を単に組立式もしくは可搬式に改良したもので、調理を行う際には、例えば、容器（炉）内に灰を敷き詰めて炭等の燃焼剤を熾して火力とし、食材を串に刺して火の周囲の灰地に倒立させる、または灰の中に食材を埋没させるなど、従来の囲炉裏と同様の手法がとられていた。しかしながら、熱源側の火力を調整するとともに、熱源と食材との距離を調整することは実に困難で、食材を美味しく焼き上げるには独自の技術を要するという問題があった。また、食材が刺された串は、荷重のバランスが不安定で、これを柔らかい灰地に倒立させることは、殊更困難な作業であった。
【０００６】
本考案は、上記の問題点に鑑みなされたもので、熱源と食材の距離を簡易に調整可能で、容易に食材を美味しく調理でき、不要時には分解可能な囲炉裏セットを提供することを目的とする。
【０００７】
このため、本考案の囲炉裏セットは、燃焼剤を収容可能に構成された炉箱と、該炉箱が収容され、該炉箱との空隙に灰が敷き詰められる灰入れ容器と、該灰入れ容器が収容される井桁状の木枠と、該木枠の両側方に配置される一対の脚部と、該一対の脚部間に橋架され食材を載置する網体を備えた囲炉裏セットにおいて、前記網体が、単線材を格子状に構成し任意形状に成る枠杆で包囲した格子線網板からなる第１の網及び第２の網と、該第１の網及び第２の網を互いに回動可能に接続する接続部材と、該接続部材に固着されたガイド軸から構成され、前記脚部が、前記ガイド軸を上下方向へスライド可能なガイド孔が形成された縦板を底板に立設して構成されるとともに、前記縦板の側面に、前記枠杆が嵌合される複数の水平溝と傾斜溝が形成されたことを第１の特徴とする。
【０００８】
また、前記網体に掛止可能な略Ｓ字状の掛具を有する格子線網板をさらに備えたことを第２の特徴とする。
【考案の効果】
【０００９】
本考案の囲炉裏セットは、以下の優れた効果を有する。
（１）従来の囲炉裏構造のように、部屋の床を直接的に切り抜く必要もなく、簡単な組み立て作業を経て、部屋の床面上に囲炉裏を設置形成できるものであり、囲炉裏不使用時には、解体して別の収納部所に収納し、部屋の床面を有効に利用し得る。引いては、所望の場所に設置できるため、使い勝手が良く、実用性に優れている。
（２）網体自体が折り畳み可能に構成されているため、収容時にコンパクト化することができる。
（３）網体の位置を選択して配置できるため、熱源となる炉箱と食材の距離を容易に変更できる。
【図面の簡単な説明】
【００１０】
【図１】本考案に係る囲炉裏セットの一実施例を示す斜視図である。
【図２】本考案に係る囲炉裏セットの一実施例を示す一部破断斜視図である。
【図３】本考案に係る木枠を説明する斜視図である。
【図４】本考案に係る脚部を説明する（Ａ）が一方の面から見た斜視図、（Ｂ）が他方の面から見た斜視図である。
【図５】本考案に係る網体を説明する斜視図である。
【図６】本考案に係る網体について、（Ａ）が折り曲げた状態を説明する分解斜視図で、（Ｂ）が使用状態を説明する斜視図である。
【考案を実施するための形態】
【００１１】
本考案に係る囲炉裏セット１は、図１及び図２に示すように、木炭や竹炭等からなる燃焼剤（図示せず）が収容可能に構成された炉箱１１と、該炉箱１１が収容され、その周囲に灰が敷き詰められる金属製の灰入れ容器１２と、灰入れ容器１２が収容され、外装をなす井桁状の木枠１３と、木枠１３の両側方に配置される一対の脚部１４ａ，１４ｂと、一対の脚部１４ａ，１４ｂ間に橋架される網体１５を有している。
【００１２】
炉箱１１は、耐熱性に優れた金属製で、図２に示すように、略矩形状の箱形に形成されるとともに、その両側面には、一対の脚付取手１１１ａ、１１１ｂが固着されている。炉箱１１の内側には、木炭等の燃焼剤（図示せず）が収容され、これに着火することで囲炉裏の熱源として機能する。一対の脚付取手１１１ａ、１１１ｂは、例えば、燃焼剤の追加または交換作業時に、脚付取手１１１ａ、１１１ｂを把持して炉箱１１を移動させる際に用いられ、燃焼剤の追加または交換作業を容易に行うことができる。
【００１３】
灰入れ容器１２は、炉箱１１と同様耐熱性に優れた金属製で、略矩形状の箱型に形成された容器である。灰入れ容器１２の略中央には、炉箱１１が収容され、炉箱１１との空隙に灰（図示せず）が充填されて使用される。炉箱１１と灰入れ容器１２を構成する金属製の板材の素材は、特に限定されないが、この実施の形態では耐熱性、軽量性の点からステンレスを採用している。
【００１４】
灰入れ容器１２は、図１及び図２に示すように、井桁状に組まれた木枠１３内に配置されている。木枠１３は、図３に示すように、天然木や合成板を加工した、一対の板材１３１ａ，１３１ｂと、一対の板材１３２ａ，１３２ｂから構成されている。一対の板材１３２ａ，１３２ｂは、その端部に複数のホゾが設けられ、一対の部材１３１ａ，１３１ｂには、このホゾに対応する位置にホゾ孔が設けられている。したがって、板材同士をホゾ接合することで、角形枠状を成すよう構成されるとともに、着脱自在に構成されている。図１に示すように、板材１３２ａ，１３２ｂの下方に、脚部１４ａ，１４ｂが入り込むように、板材１３２ａ，１３２ｂの短辺は、板材１３１ａ，１３１ｂの短辺と比べて短く構成されることが好ましい。木枠１３の内周面に灰入れ容器１２を固定する方法は、例えば、灰入れ容器１２の周囲に鍔１２１（図３中破線表示）を設けて、木枠１３の縁に掛止する構造とする、また例えば、木枠１３の内周面に灰入れ容器１２が載置される載置片１３３（図３中破線表示）を設けるなど、種々の固定方法を取ることができる。
【００１５】
脚部１４ａ，１４ｂは、互いに同じ構造で、底板１４９に縦板１４８を立設して構成されている。図４に示すように、縦板１４８には、上縁部から中央部に向かって凹状に切欠いたガイド孔１４１が設けられている。ガイド孔１４１は、後述する網体１５のガイド軸１５３がガイド孔１４１に沿ってスライド可能に設けられる。また、縦板１４８の一方の面には、複数の溝が設けられている。溝は、図４（Ａ）に示すように、網体１５の縁が嵌合される複数の水平溝１４２と、傾斜溝１４３が設けられている。水平溝１４２を複数設けることで、網体１５の高さを調節して橋架することが可能となる。すなわち、熱源である燃焼剤と網体１５に載置した食材の距離を、容易に調整することができる。また、傾斜溝１４３により、網体１５を傾斜した状態で保持することが可能となる。溝が設けられた一方の面には、一対のアーム１４４が突設されている。一対のアーム１４４は、図２に示すように、木枠１３の上面にアーム１４４の下面が当接する位置に設けられ、囲炉裏セットを移動させる際に、木枠１３に追従して脚部１４ａ，１４ｂが容易に持ち上げるよう構成されている。
【００１６】
網体１５は、図５に示すように、第１の網１５１ａと第２の網１５１ｂが接続部材１５２を介して接続され、接続部材１５２にガイド軸１５３が固着され、第１の網１５１ａと第２の網１５１ｂがガイド軸１５３を支軸として回動可能に構成されている。第１の網１５１ａと第２の網１５１ｂは、単線材１５４を格子状に構成し任意形状に成る枠杆１５５で包囲した格子線網板である。尚、単線材１５４は、波形状の単線を用いても良く、図示した直線状の単線に限定されるものではない。接続部材１５２は、金属板をリング状に加工したもので、第１の網１５１ａと第２の網１５１ｂを互いに回動可能に接続している。この接続部材１５２の下部に、端部に雌ネジ加工が施されたガイド軸１５３が固設されている。
【００１７】
このように構成された網板１５は、図１に示すように、ガイド軸１５３をガイド孔１４１に沿わせ、枠杆１５５を水平溝１４２に嵌合させた後に、蝶ネジ等のネジ部材１５６をガイド軸１５３に螺設することにより、脚部１４ａ，１４ｂに固定される。固定された網体１５に食材Ａを載置することで、食材Ａの下方に位置する炉箱１１からの火力により調理することができる。
【００１８】
また、網体１５は、図６（Ａ）に示すように、ガイド軸１５３を支軸として第１の網１５１ａと第２の網１５１ｂを傾斜溝１４３と同程度の傾斜角に回動させて逆Ｖ字状に折曲することができる。網体１５は、この状態で枠杆１５５を傾斜溝１４３に嵌合させて脚部１４ａ，１４ｂ間に固定する態様で調理することもできる。この際には、図６（Ｂ）に示すように、食材Ａを斜面となった網体１５上に保持するために、ストッパー１６が用いられる。
【００１９】
ストッパー１６は、網体１５と同構造の格子線網板で、第１の網１５１ａ及び第２の網１５１ｂに掛止可能な略Ｓ字状の掛具１６１が固設されている。本実施形態においては、掛具１６１が２カ所に設けられているが、網体１５のサイズに合わせて、掛具１６１を複数箇所に設けても良い。よって、逆Ｖ字状に折り曲げられ、水平時の載置面が傾斜した網体１５に安定して食材を載置可能となり、食材Ａを串に刺した状態と同じように調理することができる。
【符号の説明】
【００２０】
１        囲炉裏セット
１１      炉箱
１１１    脚付取手
１２      灰入れ容器
１２１    鍔部
１３      木枠
１３１    板材
１３２    板材
１３３    載置片
１４      脚部
１４１    ガイド孔
１４２    水平溝
１４３    傾斜溝
１４４    アーム
１４８    縦板
１４９    底板
１５      網体
１５１    網
１５２    接続部材
１５３    ガイド軸
１５４    単線材
１５５    枠杆
１５６    ネジ部材
１６      ストッパー
１６１    掛具
Ａ        食材
【図１】
0003213483.tif 000003
【図２】
0003213483.tif 000004
【図３】
0003213483.tif 000005
【図４】
0003213483.tif 000006
【図５】
0003213483.tif 000007
【図６】
0003213483.tif 000008